(57)【特許請求の範囲】
【請求項１】
流し台のシンクの排水口に取り付けられるディスポーザーに、必要流量の水を供給する水栓装置であって、
前記ディスポーザーへの前記水の供給と止水とを切り替えるよう操作される給水操作部と、
前記ディスポーザーの作動と停止とを切り替えることができる第１のスイッチ装置とを備え、かつ、
前記シンクに向かって吐水することができる吐水管を備えて、前記給水操作部を前記水の供給側に操作すると、前記吐水管から水が吐出して、その吐出した水が、前記シンクの排水口を通って前記ディスポーザーに供給され、
前記第１のスイッチ装置は、前記給水操作部を止水側から前記必要流量の水の供給側に操作する途中では、前記ディスポーザーの作動側への切替が不能であって、前記給水操作部が前記必要流量の水の供給側にあるときに、前記ディスポーザーの作動側への切替が可能となり、前記第１のスイッチ装置のスイッチ操作部を、前記ディスポーザーの作動側へ切替操作することで、前記ディスポーザーが作動することを特徴とする水栓装置。
【請求項２】
流し台のシンクの排水口に取り付けられるディスポーザーに、必要流量の水を供給する水栓装置であって、
前記ディスポーザーへの前記水の供給と止水とを切り替えるよう操作される給水操作部と、
前記ディスポーザーの作動と停止とを切り替えることができる第１のスイッチ装置とを備え、かつ、
前記シンクに向かって吐水することができる吐水管を備えて、前記給水操作部を前記水の供給側に操作すると、前記吐水管から水が吐出して、その吐出した水が、前記シンクの排水口を通って前記ディスポーザーに供給され、
前記第１のスイッチ装置のスイッチ操作部は、前記給水操作部を止水側から前記必要流量の水の供給側に操作する途中では、前記ディスポーザーの作動側への切替操作が阻止されて、前記給水操作部が前記必要流量の水の供給側にあるときに、前記ディスポーザーの作動側への切替操作が可能となり、前記第１のスイッチ装置のスイッチ操作部を、前記ディスポーザーの作動側へ切替操作することで、前記ディスポーザーが作動することを特徴とする水栓装置。
【請求項３】
流し台のシンクの排水口に取り付けられるディスポーザーに、必要流量の水を供給する水栓装置であって、
前記ディスポーザーへの前記水の供給と止水とを切り替えるよう操作される給水操作部と、
前記ディスポーザーの作動と停止とを切り替えることができる第１のスイッチ装置とを備え、
前記第１のスイッチ装置は、前記給水操作部を止水側から前記必要流量の水の供給側に操作する途中では、前記ディスポーザーの作動側への切替が不能であって、前記給水操作部が前記必要流量の水の供給側にあるときに、前記ディスポーザーの作動側への切替が可能となり、
前記給水操作部は、回動操作される給水ハンドルからなり、
前記第１のスイッチ装置のスイッチ操作部は、前記給水ハンドルに取り付けられた操作ボタンを備えることを特徴とする水栓装置。
【請求項４】
流し台のシンクの排水口に取り付けられるディスポーザーに、必要流量の水を供給する水栓装置であって、
前記ディスポーザーへの前記水の供給と止水とを切り替えるよう操作される給水操作部と、
前記ディスポーザーの作動と停止とを切り替えることができる第１のスイッチ装置とを備え、
前記第１のスイッチ装置のスイッチ操作部は、前記給水操作部を止水側から前記必要流量の水の供給側に操作する途中では、前記ディスポーザーの作動側への切替操作が阻止されて、前記給水操作部が前記必要流量の水の供給側にあるときに、前記ディスポーザーの作動側への切替操作が可能となり、
前記給水操作部は、回動操作される給水ハンドルからなり、
前記第１のスイッチ装置のスイッチ操作部は、前記給水ハンドルに取り付けられた操作ボタンを備えることを特徴とする水栓装置。
【請求項５】
請求項３または４に記載の水栓装置において、
前記シンクに向かって吐水することができる吐水管を備え、
前記給水操作部を前記水の供給側に操作すると、前記吐水管から水が吐出して、その吐出した水が、前記シンクの排水口を通って前記ディスポーザーに供給されることを特徴とする水栓装置。
【請求項６】
請求項１、２または５に記載の水栓装置において、
前記吐水管からの吐水と止水とを切り替えるよう操作される、前記給水操作部とは別の吐水操作部を備えることを特徴とする水栓装置。
【請求項７】
請求項１ないし６のいずれか１項に記載の水栓装置において、
前記第１のスイッチ装置は、前記ディスポーザーが作動しているとき、前記給水操作部を前記水の供給側から止水側に操作すると、自動的に前記ディスポーザーの停止側に切り替わることを特徴とする水栓装置。
【請求項８】
請求項７に記載の水栓装置において、
前記第１のスイッチ装置は、リードスイッチを備え、前記ディスポーザーが作動しているとき、前記給水操作部を前記水の供給側から止水側に操作すると、前記給水操作部に設けられた磁石が、前記リードスイッチから離れて、前記第１のスイッチ装置は、自動的に前記ディスポーザーの停止側に切り替わることを特徴とする水栓装置。
【請求項９】
請求項３ないし５のいずれか１項に記載の水栓装置において、
前記第１のスイッチ装置により、前記給水操作部が必要流量の水の供給側にあり、前記ディスポーザーが作動しているときに、前記操作ボタンを操作することで、前記ディスポーザーは、停止することを特徴とする水栓装置。
【請求項１０】
請求項４に記載の水栓装置において、
前記給水操作部が前記必要流量の水の供給側にあるときに、前記操作ボタンを押し込み側まで押し込み操作し、その押し込み側のままで、さらに前記給水操作部を、前記ディスポーザーに前記水を供給するバルブの全開側に若干回動操作することで、前記ディスポーザーが作動することを特徴とする水栓装置。
【請求項１１】
請求項３ないし５のいずれか１項に記載の水栓装置において、
前記ディスポーザーの作動と停止とを切り替えることができる第２のスイッチ装置を備え、
その第２のスイッチ装置は、前記給水操作部が止水側にあるときに、前記ディスポーザーの作動と停止との切替が可能となることを特徴とする水栓装置。
【請求項１２】
請求項１１に記載の水栓装置において、
前記第２のスイッチ装置のスイッチ操作部は、前記操作ボタンからなることを特徴とする水栓装置。
【請求項１３】
請求項１ないし１０のいずれか１項に記載の水栓装置において、
前記給水操作部が前記必要流量の水の供給側にあるときに、前記第１のスイッチ装置のスイッチ操作部を、前記ディスポーザーの作動側へ切替操作すると、前記ディスポーザーは、所要時間遅れて作動することを特徴とする水栓装置。
【請求項１４】
請求項１ないし１３のいずれか１項に記載の水栓装置と、前記ディスポーザーとからなるディスポーザー装置。
【発明の詳細な説明】
【０００１】
【発明の属する技術分野】
この発明は、流し台のシンクの排水口に取り付けられたディスポーザーに、水を供給することができる水栓装置およびディスポーザー装置に関するものである。
【０００２】
【従来の技術】
従来、ディスポーザーとして、流し台のシンクの排水口に取り付けられて、投入された生ゴミを粉砕するディスポーザーが知られていた。このディスポーザーにおいては、ディスポーザーのーディスポーザー作動と停止とを切り替えるスイッチと、ディスポーザーに必要流量のへの水の供給と止水とを切り替えるよう操作される給水ハンドルとは、互いに関連し合うことなく独立に構成され、しかも別々の位置に配置されていた。
【０００３】
【発明が解決しようとする課題】
ところで、ディスポーザーは、作動しているときには、そのディスポーザーに必要流量の水が供給されていなければならず、ディスポーザーのスイッチを入れる前に、予め、ディスポーザーへの水の供給を開始しておくことが好ましかった。しかし、従来のディスポーザーにあっては、そのディスポーザーのスイッチと給水ハンドルとが、互いに関連し合うことなく独立に構成されていたため、ディスポーザーへの水の供給・止水とは無関係に、ディスポーザーを作動させることができ、その結果、誤操作等により、ディスポーザーに水が十分に供給されていない状態でディスポーザーを作動させてしまう虞があった。
【０００４】
また、従来のディスポーザーにおいては、ディスポーザーのスイッチと給水ハンドルとが、別々の位置に配置されていたため、ディスポーザーに水を供給し、その後ディスポーザーを作動させるという一連の操作を、容易かつスムーズに行うことができなかった。
【０００５】
この発明は、上記した従来の欠点を解決するためになされたものであり、その目的とするところは、ディスポーザーの誤操作を防ぐことができる水栓装置およびディスポーザー装置を提供することにある。
【０００６】
また、他の目的は、ディスポーザーへ水を供給するための操作と、ディスポーザーを作動させるための操作との一連の操作を、容易かつスムーズに行うことができる水栓装置およびディスポーザー装置を提供することにある。
【０００７】
【課題を解決するための手段】
この発明に係る水栓装置およびディスポーザー装置は、前記目的を達成するために、次の構成からなる。すなわち、
請求項１に記載の発明に係る水栓装置は、流し台のシンクの排水口に取り付けられるディスポーザーに、必要流量の水を供給する水栓装置であって、前記ディスポーザーへの前記水の供給と止水とを切り替えるよう操作される給水操作部と、前記ディスポーザーの作動と停止とを切り替えることができる第１のスイッチ装置とを備える。さらに、前記水栓装置は、前記シンクに向かって吐水することができる吐水管を備えて、前記給水操作部を前記水の供給側に操作すると、前記吐水管から水が吐出して、その吐出した水が、前記シンクの排水口を通って前記ディスポーザーに供給される。そして、前記第１のスイッチ装置は、前記給水操作部を止水側から前記必要流量の水の供給側に操作する途中では、前記ディスポーザーの作動側への切替が不能であって、前記給水操作部が前記必要流量の水の供給側にあるときに、前記ディスポーザーの作動側への切替が可能となり、前記第１のスイッチ装置のスイッチ操作部を、前記ディスポーザーの作動側へ切替操作することで、前記ディスポーザーが作動する。
【０００８】
これにより、ディスポーザーを作動させる場合には、予め、ディスポーザーに水を供給するために、給水操作部を、止水側から必要流量の水の供給側に操作する。こうすることで、第１のスイッチ装置は、ディスポーザーの作動側への切替が可能となる。そこで、第１のスイッチ装置のスイッチ操作部を、ディスポーザーの作動側へ切替操作する。こうして、ディスポーザーを作動させると、ディスポーザー内に予め投入された生ゴミは、必要流量の水の供給のもとに粉砕される。ここで、第１のスイッチ装置は、給水操作部を止水側から必要流量の水の供給側に操作する途中では、ディスポーザーの作動側への切替が不能となっており、ディスポーザーに供給される水の流量が必要流量に達していないときの、ディスポーザーの作動を防止することができる。なお、ディスポーザーへの水の供給は、吐水管からシンクに向かって吐水される水によって行なわれる。
【０００９】
また、請求項２に記載の発明に係る水栓装置は、流し台のシンクの排水口に取り付けられるディスポーザーに、必要流量の水を供給する水栓装置であって、前記ディスポーザーへの前記水の供給と止水とを切り替えるよう操作される給水操作部と、前記ディスポーザーの作動と停止とを切り替えることができる第１のスイッチ装置とを備える。さらに、前記水栓装置は、前記シンクに向かって吐水することができる吐水管を備えて、前記給水操作部を前記水の供給側に操作すると、前記吐水管から水が吐出して、その吐出した水が、前記シンクの排水口を通って前記ディスポーザーに供給される。そして、前記第１のスイッチ装置のスイッチ操作部は、前記給水操作部を止水側から前記必要流量の水の供給側に操作する途中では、前記ディスポーザーの作動側への切替操作が阻止されて、前記給水操作部が前記必要流量の水の供給側にあるときに、前記ディスポーザーの作動側への切替操作が可能となり、前記第１のスイッチ装置のスイッチ操作部を、前記ディスポーザーの作動側へ切替操作することで、前記ディスポーザーが作動する。
【００１０】
これにより、ディスポーザーを作動させる場合には、予め、ディスポーザーに水を供給するために、給水操作部を、止水側から必要流量の水の供給側に操作する。こうすることで、第１のスイッチ装置のスイッチ操作部は、ディスポーザーの作動側への切替操作が可能となる。そこで、第１のスイッチ装置のスイッチ操作部を、ディスポーザーの作動側に切替操作する。こうして、ディスポーザーを作動させると、ディスポーザー内に予め投入された生ゴミは、必要流量の水の供給のもとに粉砕される。ここで、第１のスイッチ装置のスイッチ操作部は、給水操作部を止水側から必要流量の水の供給側に操作する途中では、ディスポーザーの作動側への切替操作が阻止されており、ディスポーザーに供給される水の流量が必要流量に達していないときの、ディスポーザーの作動を防止することができる。なお、ディスポーザーへの水の供給は、吐水管からシンクに向かって吐水される水によって行なわれる。
請求項３に記載の発明に係る水栓装置は、流し台のシンクの排水口に取り付けられるディスポーザーに、必要流量の水を供給する水栓装置であって、前記ディスポーザーへの前記水の供給と止水とを切り替えるよう操作される給水操作部と、前記ディスポーザーの作動と停止とを切り替えることができる第１のスイッチ装置とを備える。そして、前記第１のスイッチ装置は、前記給水操作部を止水側から前記必要流量の水の供給側に操作する途中では、前記ディスポーザーの作動側への切替が不能であって、前記給水操作部が前記必要流量の水の供給側にあるときに、前記ディスポーザーの作動側への切替が可能となる。そして、前記給水操作部は、回動操作される給水ハンドルからなり、前記第１のスイッチ装置のスイッチ操作部は、前記給水ハンドルに取り付けられた操作ボタンを備える。
これにより、ディスポーザーを作動させる場合には、予め、ディスポーザーに水を供給するために、給水操作部を、止水側から必要流量の水の供給側に操作する。こうすることで、第１のスイッチ装置は、ディスポーザーの作動側への切替が可能となる。そこで、ディスポーザーを作動させると、ディスポーザー内に予め投入された生ゴミは、必要流量の水の供給のもとに粉砕される。ここで、第１のスイッチ装置は、給水操作部を止水側から必要流量の水の供給側に操作する途中では、ディスポーザーの作動側への切替が不能となっており、ディスポーザーに供給される水の流量が必要流量に達していないときの、ディスポーザーの作動を防止することができる。なお、ディスポーザーを作動させる場合には、給水操作部となる給水ハンドルに取り付けられた操作ボタンが操作される。
また、請求項４に記載の発明に係る水栓装置は、流し台のシンクの排水口に取り付けられるディスポーザーに、必要流量の水を供給する水栓装置であって、前記ディスポーザーへの前記水の供給と止水とを切り替えるよう操作される給水操作部と、前記ディスポーザーの作動と停止とを切り替えることができる第１のスイッチ装置とを備える。そして、前記第１のスイッチ装置のスイッチ操作部は、前記給水操作部を止水側から前記必要流量の水の供給側に操作する途中では、前記ディスポーザーの作動側への切替操作が阻止されて、前記給水操作部が前記必要流量の水の供給側にあるときに、前記ディスポーザーの作動側への切替操作が可能となる。そして、前記給水操作部は、回動操作される給水ハンドルからなり、前記第１のスイッチ装置のスイッチ操作部は、前記給水ハンドルに取り付けられた操作ボタンを備える。
これにより、ディスポーザーを作動させる場合には、予め、ディスポーザーに水を供給するために、給水操作部を、止水側から必要流量の水の供給側に操作する。そして、第１のスイッチ装置のスイッチ操作部を、ディスポーザーの作動側に切替操作する。こうして、ディスポーザーを作動させると、ディスポーザー内に予め投入された生ゴミは、必要流量の水の供給のもとに粉砕される。ここで、第１のスイッチ装置のスイッチ操作部は、給水操作部を止水側から必要流量の水の供給側に操作する途中では、ディスポーザーの作動側への切替操作が阻止されており、ディスポーザーに供給される水の流量が必要流量に達していないときの、ディスポーザーの作動を防止することができる。なお、ディスポーザーを作動させる場合には、給水操作部となる給水ハンドルに取り付けられた操作ボタンが操作される。
また、請求項５に記載の発明に係る水栓装置のように、請求項３または４に記載の水栓装置において、前記シンクに向かって吐水することができる吐水管を備え、前記給水操作部を前記水の供給側に操作すると、前記吐水管から水が吐出して、その吐出した水が、前記シンクの排水口を通って前記ディスポーザーに供給されてもよい。こうして、ディスポーザーへの水の供給は、吐水管からシンクに向かって吐水される水によって行なわれる。
また、請求項６に記載の発明に係る水栓装置のように、請求項１、２または５に記載の水栓装置において、前記吐水管からの吐水と止水とを切り替えるよう操作される、前記給水操作部とは別の吐水操作部を備えてもよい。こうして、給水操作部の操作によるディスポーザーへの水の供給とは別に、吐水操作部を操作することで、シンクにおいて、吐水管からの水を使用することができる。
【００１１】
また、請求項７に記載の発明に係る水栓装置のように、請求項１ないし６のいずれか１項に記載の水栓装置において、前記第１のスイッチ装置は、前記ディスポーザーが作動しているとき、前記給水操作部を前記水の供給側から止水側に操作すると、自動的に前記ディスポーザーの停止側に切り替わるのが望ましい。これにより、ディスポーザーによる生ゴミの粉砕が終了して、給水操作部を水の供給側から止水側に操作すると、第１のスイッチ装置が、自動的にディスポーザーの作動側から停止側に切り替わる。
また、請求項８に記載の発明に係る水栓装置のように、請求項７に記載の水栓装置において、前記第１のスイッチ装置は、リードスイッチを備え、前記ディスポーザーが作動しているとき、前記給水操作部を前記水の供給側から止水側に操作すると、前記給水操作部に設けられた磁石が、前記リードスイッチから離れて、前記第１のスイッチ装置は、自動的に前記ディスポーザーの停止側に切り替わってもよい。
【００１２】
また、請求項９に記載の水栓装置のように、請求項３ないし５のいずれか１項に記載の水栓装置において、前記第１のスイッチ装置により、前記給水操作部が必要流量の水の供給側にあり、前記ディスポーザーが作動しているときに、前記操作ボタンを操作することで、前記ディスポーザーは、停止してもよい。このように、操作ボタンを操作することで、ディスポーザーへの水の供給を継続したまま、ディスポーザーを停止させることができる。
また、請求項１０に記載の水栓装置のように、請求項４に記載の水栓装置において、前記給水操作部が前記必要流量の水の供給側にあるときに、前記操作ボタンを押し込み側まで押し込み操作し、その押し込み側のままで、さらに前記給水操作部を、前記ディスポーザーに前記水を供給するバルブの全開側に若干回動操作することで、前記ディスポーザーが作動してもよい。
【００１３】
また、請求項１１に記載の発明に係る水栓装置のように、請求項３ないし５のいずれか１項に記載の水栓装置において、前記ディスポーザーの作動と停止とを切り替えることができる第２のスイッチ装置を備え、その第２のスイッチ装置は、前記給水操作部が止水側にあるときに、前記ディスポーザーの作動と停止との切替が可能となるものであってもよい。これにより、給水操作部が、止水側にある場合にも、ディスポーザーを作動させることができる。したがって、ディスポーザーを作動させる場合に、給水操作部を水の供給側に操作した後にディスポーザーを作動させることもできるが、例えば、ボール等に溜まった水をシンクに流すことで、このディスポーザーに水を供給しながら、ディスポーザーを作動させることもできる。
【００１４】
また、請求項１２に記載の発明に係る水栓装置のように、請求項１１に記載の水栓装置において、前記第２のスイッチ装置のスイッチ操作部は、前記操作ボタンからなってもよい。これにより、第１のスイッチ装置のスイッチ操作部を構成する操作ボタンが、第２のスイッチ装置のスイッチ操作部を兼ねることとなる。
【００１５】
また、請求項１３に記載の発明に係る水栓装置のように、請求項１ないし１０のいずれか１項に記載の水栓装置において、前記給水操作部が前記必要流量の水の供給側にあるときに、前記第１のスイッチ装置のスイッチ操作部を、前記ディスポーザーの作動側へ切替操作すると、前記ディスポーザーは、所要時間遅れて作動してもよい。これにより、ディスポーザーを作動させる場合に、給水操作部を止水側から必要流量の水の供給側に操作して、第１のスイッチ装置のスイッチ操作部をディスポーザーの作動側に切替操作すると、所要時間遅れてディスポーザーが作動する。こうして、ディスポーザーが作動するまでに、ディスポーザー内に水を十分に行き渡らせることができる。
【００１６】
【００１７】
【００１８】
【００１９】
【００２０】
また、請求項１４に記載の発明に係るディスポーザー装置は、請求項１ないし１３のいずれか１項に記載の水栓装置と、前記ディスポーザーとからなる。
【００２１】
【発明の実施の形態】
以下、この発明に係る水栓装置およびディスポーザー装置の実施の形態を図面に基づいて説明する。
【００２２】
図１ないし図１４は、本発明に係る水栓装置およびディスポーザー装置を、シングルレバー式の湯水混合水栓に適用した第一の実施の形態を示す。図中符号１は、流し台である。１ａは、流し台１のシンクでる。２は、生ゴミを粉砕するディスポーザーであり、シンク１ａの排水口１ｂに取り付けられる。３は、水栓装置であり、この水栓装置３により、ディスポーザー２に、必要流量、例えば、７リットル毎分以上の水を供給することができる。４は、ディスポーザー装置であり、ディスポーザー２と水栓装置３とで構成されている。
【００２３】
ここで、ディスポーザー２は、その上部に、生ゴミが投入されたりあるいは水が流し入れられる投入口（図示せず）が、シンク１ａの排水口１ｂに開口するようにして設けられている。そして、ディスポーザー２には、このディスポーザー２に電気を供給するための電気ケーブル２ａが設けられ、また、下部には、粉砕された生ゴミが水とともに流れる排水管５が接続されている。
【００２４】
水栓装置３は、湯水混合水栓６と、ディスポーザー２の作動と停止との切り替えを制御するための制御部７を備えている。そして、水栓６は、流し台１の天板１ｃに、上面施工方式によって取り付けられている。すなわち、予め、基台８が、天板１ｃにその天板１ｃの上面側から、図示しない取付具によって固定され、次いで、天板１ｃに固定された基台８に、水栓６が固定される。このように水栓６は、上面施工によって天板１ｃに取り付けられているが、その他に、例えば、水栓６から下方に延びて天板１ｃを貫通する螺筒部に、天板１ｃの下からナット等を螺合させることで、取り付けられてもよい。また、制御部７は、天板１ｃの下方のキャビネット１ｄ内に配備されている。
【００２５】
また、水栓装置３は、その水栓６に、シンク１ａに向かって吐水することができる吐水管９と、吐水操作部としてのレバー１０と、給水操作部としての回動操作される給水ハンドル１１を備えている。
【００２６】
レバー１０は、水栓本体６ａの上端に位置して、吐水管９からの吐水と止水とを切り替えるよう操作される。このレバー１０は、湯水混合水栓におけるいわゆるシングルレバーであって、水栓本体６ａ内の混合弁１２に連結されて、回動操作によって、吐水管９から吐出する水の温度が調節され、上下の操作によって、吐水と止水とが切り替わる。すなわち、水栓本体６ａ内には、給水管１３が接続される水側の通路６ｂ、給湯管１４が接続される湯側の通路６ｃ、および吐水管９が接続される混合通路６ｄが設けられている。そして、混合弁１２は、水栓本体６ａ内において、入り口側は、水側および湯側の通路６ｂ、６ｃに接続され、出口側は、混合通路６ｄに接続されている（図１０、１１参照）。
【００２７】
給水ハンドル１１は、水栓本体６ａの下部側面に位置して、ディスポーザー２への水の供給と止水とを切り替えるよう操作される。すなわち、水側の通路６ｂから分岐して、吐水管９につながる分岐通路６ｅの途中に、例えば定流量弁からなる、バルブ１５が設けられており、このバルブ１５に、給水ハンドル１１が連結されている（図３参照）。こうして、給水ハンドル１１を水の供給側に回動操作すると、バルブ１５が開き、分岐通路６ｅを通って吐水管９から水が吐出し、その吐出した水が、シンク１ａの排水口１ｂを通ってディスポーザー２に供給される（図１０、１１参照）。ここで、バルブ１５は、図３に示すように、そのボディ１５ａ内に、給水ハンドル１１が取り付けられてその給水ハンドル１１とともに回動することができる調節栓棒１５ｂと、その調節栓棒１５ｂの回動によって軸方向に移動することができるとともに弁体１５ｃが取り付けられた止水栓棒１５ｄが設けられている。そして、給水ハンドル１１は、バルブ１５の周囲を覆って調節栓棒１５ｂと同心となる筒部１１ａと、バルブ１５の先端を覆う頂部１１ｂとからなり、この頂部１１ｂの内側において、給水ハンドル１１は、調節栓棒１５ｂに取り付けられている。
【００２８】
また、図３に示すように、給水ハンドル１１には、その筒部１１ａの外周部に、スイッチ操作部としての操作ボタン１６が取り付けられている。この操作ボタン１６は、給水ハンドル１１の筒部１１ａに形成されたガイド孔１１ｃに、飛び出し側と押し込み側との間をスライド可能に挿通されるとともに、スプリングからなる付勢部材１７によって飛び出し方向に付勢されている。そして、操作ボタン１６には、その底部に、水栓本体６ａ側に突出する被係止部１６ａが形成されている。さらに、操作ボタン１６には、その底部に磁石１６ｂが埋め込まれている。
【００２９】
そして、給水ハンドル１１の内側には、筒状の止め部材１８が、バルブ１５に嵌るようにして取り付けられている。この止め部材１８には、第１の係止片１８ａおよび第２の係止片１８ｂが設けられている。第１の係止片１８ａは、給水ハンドル１１が止水側にあるときに、操作ボタン１６が押し込み側にある場合にのみ、給水ハンドル１１が水の供給側に回らないように、操作ボタン１６の被係止部１６ａを係止する（図５参照）。この第１の係止片１８ａは、給水ハンドル１１の止水側から水の供給側に回動操作する方向（図４において、時計回り方向）と同一方向に延びており、その延びる先端は、底面側ほど先に延びる傾斜面１８ｃとなっている。こうして、給水ハンドル１１は、操作ボタン１６が飛び出し側にあるときには（図４参照）、止水側から必要流量の水の供給側に回動操作されるが、その回動操作される途中では、第１の係止片１８ａの上面が、操作ボタン１６が押し込み側に操作されないように、操作ボタン１６の被係止部１６ａを係止する。
【００３０】
第２の係止片１８ｂは、給水ハンドル１１が必要流量の水の供給側にあるときに、操作ボタン１６が飛び出し側にある場合にのみ、給水ハンドル１１がさらに回らないように、操作ボタン１６の被係止部１６ａを係止する（図６参照）。そして、この第２の係止片１８ｂは、第１の係止片１８ａと同様に、給水ハンドル１１の止水側から水の供給側に回動操作する方向と同一方向に延びている。つまり、この第２の係止片１８ｂと前記第１の係止片１８ａとの間には段差があり、操作ボタン１６を押し込むことなく、給水ハンドル１１を、止水側からバルブ１５の全開側に向かって回動操作し、給水ハンドル１１が必要流量の水の供給側まで回動すると、操作ボタン１６の被係止部１６ａが第２の係止片１８ｂに当接することで係止されて、給水ハンドル１１の回動が止められる（図６参照）。そして、給水ハンドル１１が必要流量の水の供給側にあるときに、操作ボタン１６を押し込み側に押し込み操作することで（図７参照）、給水ハンドル１１は、バルブ１５が全開になるまで、若干回動操作される（図８参照）。このとき、指を操作ボタン１６から離しても、第２の係止片１８ｂの底面が、操作ボタン１６が飛び出し側に戻らないように、操作ボタン１６の被係止部１６ａを係止しているので、操作ボタン１６は、押し込み側に保持される。
【００３１】
そこで、給水ハンドル１１を戻すように、止水側に向かって回動操作すると、操作ボタン１６は、途中で、被係止部１６ａが第２の係止片１８ｂから開放されて、付勢部材１７の付勢力により飛び出し側に戻る（図６参照）。このとき、仮に、指が操作ボタン１６に掛かり、その操作ボタン１６が押し込み側にあった場合には、給水ハンドル１１を止水側に向かって回動操作する途中で、操作ボタン１６は、その被係止部１６ａが、第１の係止片１８ａの傾斜面１８ｃを乗り上げるようにして、強制的に飛び出し側に導かれる（図９参照）。
【００３２】
また、止め部材１８には、第１および第２のリードスイッチ１９、２０が埋め込まれている。第１のリードスイッチ１９は、給水ハンドル１１がバルブ１５の全開側にあるときの、操作ボタン１６の磁石１６ｂと近接するよう位置しており（図８参照）、また、第２のリードスイッチ２０は、給水ハンドル１１が止水側にあり、操作ボタン１６が押し込み側にあるときの、操作ボタン１６の磁石１６ｂと近接するよう位置している（図５参照）。そして、これら第１および第２のリードスイッチ１９、２０の電線１９ａ、２０ａは、止め部材１８の周囲を伝って、その止め部材１８の下部に設けられた鉤状の電線支持部１８ｄによって支持され、そして、水栓本体６ａ内を下方に導かれるとともに、天板１ｃに明けられた、例えば、水栓６取り付け用の取付孔を介して、天板１ｃの下方に配備された制御部７に接続される。そして、この制御部７に付設されたコンセントＣに、ディスポーザー２の電気ケーブル２ａが接続される。また、制御部７には、その制御部７に電気を供給するための電気ケーブル７ａが設けられており、この電気ケーブル７ａは、キャビネット１ｄ内に設けられたコンセント（図示せず）に接続される。
【００３３】
そして、第１のリードスイッチ１９、スイッチ操作部としての操作ボタン１６、制御部７等が、第１のスイッチ装置２１を構成しており、この第１のスイッチ装置２１により、ディスポーザー２の作動と停止とを切り替えることができる。そして、この第１のスイッチ装置２１における制御部７は、操作ボタン１６の磁石１６ｂが、第１のリードスイッチ１９に近接して、その第１のリードスイッチ１９がＯＮ状態となると、所要時間、例えば１秒遅れてディスポーザー２を作動させるように構成されており、また、操作ボタン１６の磁石１６ｂが、第１のリードスイッチ１９から離れて、その第１のリードスイッチ１９がＯＦＦ状態となると、ディスポーザー２を停止させるように構成されている（図１２参照）。
【００３４】
こうして、給水ハンドル１１が、必要流量の水の供給側にあるときに（図６参照）、操作ボタン１６を押し込み側まで押し込み操作し（図７参照）、その押し込み側のままで、さらに給水ハンドル１１をバルブ１５の全開側に若干回動操作すると（図８参照）、操作ボタン１６の磁石１６ｂが、第１のリードスイッチ１９に近接し、その第１のリードスイッチ１９がＯＮ状態になる。そして、第１のリードスイッチ１９がＯＮ状態となると、所要時間、例えば１秒遅れて、ディスポーザー２が作動する（図８、１０、１２参照）。ディスポーザー２による生ゴミの粉砕が完了した後に、給水ハンドル１１を止水側に戻し始めると、操作ボタン１６の磁石１６ｂが第１のリードスイッチ１９から離れて、その第１のリードスイッチ１９がＯＦＦ状態となり、第１のスイッチ装置２１は、自動的にディスポーザー２の停止側に切り替わる。また、以上のようにして、第１のスイッチ装置２１のスイッチ操作部、つまり、操作ボタン１６は、給水ハンドル１１を止水側から必要流量の水の供給側に操作する途中では、第１の係止片１８ａによって、ディスポーザー２の作動側への切替操作（操作ボタン１６を押し込み側にする）が阻止され、給水ハンドル１１が必要流量の水の供給側にあるときに、ディスポーザー２の作動側への切替操作（操作ボタン１６を押し込み側にする）が可能となっている。すなわち、制御部７を含む第１のスイッチ装置２１として見ると、この第１のスイッチ装置２１は、給水ハンドル１１を止水側から必要流量の水の供給側に操作する途中では、ディスポーザー２の作動側への切替が不能であって、給水ハンドル１１が必要流量の水の供給側にあるときに、ディスポーザー２の作動側への切替が可能となっている。
【００３５】
また、第２のリードスイッチ２０、スイッチ操作部としての操作ボタン１６、制御部７等が、第２のスイッチ装置２２を構成しており、この第２のスイッチ装置２２によっても、ディスポーザー２の作動と停止とを切り替えることができる。そして、この第２のスイッチ装置２２における制御部７は、ディスポーザー２が停止しているときに、操作ボタン１６の磁石１６ｂが、第２のリードスイッチ２０に近接し（第２のリードスイッチ２０がＯＮ状態となる）、次いで離れる（第２のリードスイッチ２０がＯＦＦ状態となる）と、ディスポーザー２を作動させるように構成されており、また、ディスポーザー２が作動しているときに、操作ボタン１６の磁石１６ｂが、第２のリードスイッチ２０に近接し（第２のリードスイッチ２０がＯＮ状態となる）、次いで離れる（第２のリードスイッチ２０がＯＦＦ状態となる）と、ディスポーザー２を停止させるように構成されている（図１３参照）。また、ディスポーザー２の作動は、制御部７内のタイマー回路により、作動が開始されてから所定時間経過後には、例えば、２０秒経過後には停止されるように設定されている。したがって、ディスポーザー２の作動を停止させる操作を怠ったとしても、２０秒経過後には、その作動が強制的に停止される（図１３参照）。
【００３６】
こうして、給水ハンドル１１が、止水側にあるときに、操作ボタン１６を押し込み側まで押し込み操作し、次いで操作ボタン１６から指を離すことで操作ボタン１６を飛び出し側にすると、操作ボタン１６の磁石１６ｂが、第２のリードスイッチ２０に近接し（第２のリードスイッチ２０がＯＮ状態となる）、次いで離れて（第２のリードスイッチ２０がＯＦＦ状態となる）、ディスポーザー２の作動と停止とが切り替わる（図４、５、１１、１３参照）。また、以上のようにして、第２のスイッチ装置２２のスイッチ操作部、つまり、操作ボタン１６は、給水ハンドル１１が止水側にあるときに、ディスポーザー２の作動と停止との切替操作（操作ボタン１６を押し込み側にし次いで飛び出し側にする）が可能となっている。すなわち、制御部７を含む第２のスイッチ装置２２として見ると、この第２のスイッチ装置２２は、給水ハンドル１１が止水側にあるときに、ディスポーザー２の作動と停止との切替が可能となっている。
【００３７】
また、第１のスイッチ装置２１と第２のスイッチ装置２２との関係においては、第２のスイッチ装置２２によって、つまりは第２のリードスイッチ２０によってディスポーザー２が作動しているときに、第１のリードスイッチ１９がＯＮ状態となると、ディスポーザー２の作動は維持され、次いで、第１のリードスイッチ１９がＯＦＦ状態となると、ディスポーザー２は停止するように、制御部７は構成されている（図１４参照）。
【００３８】
次に、以上の構成からなる、第一の実施の形態に係る、水栓装置３およびディスポーザー装置４の作用効果について説明する。ディスポーザー２を作動させる場合には、予め、ディスポーザー２に水を供給するために、給水ハンドル１１を、止水側から必要流量の水の供給側に操作する（図６参照）。そして、第１のスイッチ装置２１の操作ボタン１６を、ディスポーザー２の作動側に切替操作する。つまり、操作ボタン１６を押し込み側にし給水ハンドル１１をバルブ１５の全開側にすることで、操作ボタン１６の磁石１６ｂを第１のリードスイッチ１９に近接させ、その第１のリードスイッチ１９をＯＮ状態にする（図８参照）。こうして、ディスポーザー２を作動させると、ディスポーザー２内に予め投入された生ゴミは、必要流量の水の供給のもとに粉砕される。しかも、ディスポーザー２は、第１のリードスイッチ１９がＯＮ状態となってから、所要時間遅れて作動するので、ディスポーザー２が作動するまでに、ディスポーザー２内に水を十分に行き渡らせることができる。
【００３９】
また、ここで、給水ハンドル１１を止水側から必要流量の水の供給側に操作する途中では、操作ボタン１６は、第１の係止片１８ａによって押し込み側への切替操作が阻止されており、つまりは、制御部７を含む第１のスイッチ装置２１は、ディスポーザー２の作動側への切替が不能となっており、ディスポーザー２に供給される水の流量が必要流量に達していないときの、ディスポーザー２の作動を防止することができる。このように、ディスポーザー２の誤操作、つまり、ディスポーザー２に必要流量の水が供給されないままディスポーザー２を作動させてしまうことを防ぐことができる。
【００４０】
また、ディスポーザー２による生ゴミの粉砕が終了して、給水ハンドル１１を水の供給側から止水側に操作すると、第１のスイッチ装置２１が、自動的にディスポーザー２の作動側から停止側に切り替わり、ディスポーザー２は停止する。こうして、生ゴミの粉砕が終了した後に、ディスポーザー２の停止側への切替操作をする必要がなく、ディスポーザー２が不必要に作動したままになるのを防ぐことができる。
【００４１】
また、給水ハンドル１１を回すと、ディスポーザー２に必要流量の水が供給され、その後、その給水ハンドル１１に取り付けられた操作ボタン１６を操作し給水ハンドル１１を全開側に若干回すと、ディスポーザー２が作動するので、給水ハンドル１１の操作と操作ボタン１６の操作との一連の操作、つまりはディスポーザー２へ水を供給するための操作と、ディスポーザー２を作動させるための操作との一連の操作を、容易かつスムーズに行なうことができる。
【００４２】
また、給水ハンドル１１が、止水側にある場合にも、第２のスイッチ装置２２を介して、ディスポーザー２を作動させることができる。したがって、吐水管９からディスポーザー２に水を供給することなく、例えば、ボール等に溜まった水をシンク１ａに流すことで、このディスポーザー２に水を供給しながら、ディスポーザー２を作動させることもでき、そのボール等に溜まった水を有効利用することができる。
【００４３】
また、第１のスイッチ装置２１のスイッチ操作部を構成する操作ボタン１６が、第２のスイッチ装置２２のスイッチ操作部を兼ねており、同一の操作ボタン１６で、二種類の使い方が可能となっており、この水栓装置３の使い勝手を向上させることができる。
【００４４】
また、バルブ１５には、定流量弁が使用されており、流量が絞られて、ディスポーザー２に供給される水が必要流量を大きく超えることはないので、節水効果が期待できる。
【００４５】
また、水栓６は、給水ハンドル１１とは別の、湯水混合水栓における通常のレバー１０を備えており、給水ハンドル１１の操作によるディスポーザー２への水の供給とは別に、レバー１０を操作することで、シンク１ａにおいて、吐水管９からの水を、調理や洗いに使用することができる。
【００４６】
図１５ないし図２２は、本発明に係る水栓装置およびディスポーザー装置の第二の実施の形態を示す。この実施の形態においては、第一の実施の形態と比較すると、給水ハンドル１１、止め部材１８、および第１のスイッチ装置２１が異なるが、第２のスイッチ装置２２等の他の構成はほぼ同様であり、以下に異なる部分を主に説明する。
【００４７】
給水ハンドル１１は、操作ボタン１６が手前にあるときに、止水側となっており（図１５参照）、そこからこの給水ハンドル１１をほぼ９０°時計回り方向に回動操作して、操作ボタン１６が上方にあるときに、必要流量の水の供給側となっている（図１６、１７参照）。また、給水ハンドル１１には、操作ボタン１６の他に、磁石１６ｂとは別の他の磁石１１ｄが取り付けられている。この磁石１１ｄは、給水ハンドル１１の筒部１１ａの内周部に固定的に取り付けられており、かつ、操作ボタン１６が押し込み側にあるときのその操作ボタン１６における磁石１６ｂとは、この給水ハンドル１１の回動中心を挟む対称の位置に位置している。
【００４８】
止め部材１８には、第１の係止片１８ａは設けられているが、第２の係止片１８ｂは設けられていない。そして、止め部材１８には、第１および第２のリードスイッチ１９、２０とは別に、他のリードスイッチ２３が埋め込まれている。そして、他のリードスイッチ２３は、第１のリードスイッチ１９とは、給水ハンドル１１の回動中心を挟む対称の位置に位置している。
【００４９】
第１のスイッチ装置２１は、第１のリードスイッチ１９、他のリードスイッチ２３、操作ボタン１６、制御部７等から構成されており、この第１のスイッチ装置２１により、ディスポーザー２の作動と停止とを切り替えることができる。そして、この第１のスイッチ装置２１における制御部７は、ディスポーザー２が停止しているときに、操作ボタン１６の磁石１６ｂが、第１のリードスイッチ１９に近接し（第１のリードスイッチ１９がＯＮ状態となる）、次いで離れる（第１のリードスイッチ１９がＯＦＦ状態となる）と、所要時間、例えば１秒遅れてディスポーザー２を作動させるように構成されており（図１９、２０参照）、また、ディスポーザー２が作動しているときに、操作ボタン１６の磁石１６ｂが、第１のリードスイッチ１９に近接し（第１のリードスイッチ１９がＯＮ状態となる）、次いで離れる（第１のリードスイッチ１９がＯＦＦ状態となる）と、ディスポーザー２を停止させるように構成されている（図１９参照）。さらに、第１のスイッチ装置２１における制御部７は、ディスポーザー２が作動しているときに、給水ハンドル１１の磁石１１ｄが、他のリードスイッチ２３から離れることで、他のリードスイッチ２３がＯＮ状態からＯＦＦ状態に切り替わると、ディスポーザー２を停止させるように構成されている（図２０参照）。
【００５０】
こうして、給水ハンドル１１が、必要流量の水の供給側にあるときに（図１６参照）、操作ボタン１６を押し込み側まで押し込み操作し（図１７参照）、次いで操作ボタン１６から指を離すことで操作ボタン１６を飛び出し側にすると（図１６参照）、操作ボタン１６の磁石１６ｂが、第１のリードスイッチ１９に近接し（第１のリードスイッチ１９がＯＮ状態となる）、次いで離れて（第１のリードスイッチ１９がＯＦＦ状態となる）、ディスポーザー２の作動と停止とが切り替わる（図１９、２０参照）。また、給水ハンドル１１が、必要流量の水の供給側にあるときには（図１６参照）、給水ハンドル１１の磁石１１ｄが、他のリードスイッチ２３に近接し、他のリードスイッチ２３がＯＮ状態となっているが、ここで、ディスポーザー２が作動しているときに、給水ハンドル１１を止水側に回動操作し始めると（図１８参照）、磁石１１ｄが、他のリードスイッチ２３から離れて、他のリードスイッチ２３はＯＦＦ状態となり、第１のスイッチ装置２１は、自動的にディスポーザー２の停止側に切り替わる（図２０参照）。なお、第１のスイッチ装置２１と第２のスイッチ装置２２との関係については、そのタイミングチャートを図２１および図２２に示す。すなわち、第２のスイッチ装置２２によって、ディスポーザー２の作動が開始された後、その作動中に給水ハンドル１１が、必要流量の水の供給側に回動操作された場合には、第１のスイッチ装置２１によって、前記ディスポーザー２の作動およびその停止の切替が可能である（図２１参照）とともに、その後、給水ハンドル１１が、止水側に回動操作されることにより、ディスポーザー２の作動が停止される（図２１、２２参照）。
【００５１】
そして、第二の実施の形態においても、第１のスイッチ装置２１のスイッチ操作部、つまり、操作ボタン１６は、給水ハンドル１１を止水側から必要流量の水の供給側に操作する途中では、第１の係止片１８ａによって、ディスポーザー２の作動側への切替操作（操作ボタン１６を押し込み側にする）が阻止され、給水ハンドル１１が必要流量の水の供給側にあるときに、ディスポーザー２の作動側への切替操作（操作ボタン１６を押し込み側にし、次いで飛び出し側にする）が可能となっている。すなわち、制御部７を含む第１のスイッチ装置２１として見ると、この第１のスイッチ装置２１は、給水ハンドル１１を止水側から必要流量の水の供給側に操作する途中では、ディスポーザー２の作動側への切替が不能であって、給水ハンドル１１が必要流量の水の供給側にあるときに、ディスポーザー２の作動側への切替が可能となっている。
【００５２】
以上のように、第二の実施の形態に係る、水栓装置およびディスポーザー装置は構成されており、第２のスイッチ装置２２を含み、第一の実施の形態と同様の作用効果を得ることができる。しかも、第二の実施の形態においては、第１のスイッチ装置２１により、給水ハンドル１１が必要流量の水の供給側にあり、ディスポーザー２が作動しているときに、操作ボタン１６を操作する（操作ボタン１６を押し込み側にし、次いで飛び出し側にする）ことで、ディスポーザー２への水の供給を継続したまま、ディスポーザー２を停止させることもできる。
【００５３】
図２３ないし図２８は、本発明に係る水栓装置およびディスポーザー装置の第三の実施の形態を示す。この実施の形態においては、第二の実施の形態と比較すると、止め部材１８、および第１のスイッチ装置２１が異なり、第２のスイッチ装置２２は設けられていないが、他はほぼ同様であり、以下に異なる部分を主に説明する。
【００５４】
止め部材１８には、第２の係止片１８ｂだけでなく第１の係止片１８ａもまた設けられていない。さらに、止め部材１８には、第１のリードスイッチ１９および他のリードスイッチ２３は設けられているが、第２のリードスイッチ２０は設けられていない。
【００５５】
そして、第三の実施の形態においても、第二の実施の形態と同様に、第１のスイッチ装置２１は、第１のリードスイッチ１９、他のリードスイッチ２３、操作ボタン１６、制御部７等から構成されており、この第１のスイッチ装置２１により、ディスポーザー２の作動と停止とを切り替えることができる。そして、この第１のスイッチ装置２１における制御部７は、ディスポーザー２が停止しているときに、操作ボタン１６の磁石１６ｂが、第１のリードスイッチ１９に近接し（第１のリードスイッチ１９がＯＮ状態となる）、次いで離れる（第１のリードスイッチ１９がＯＦＦ状態となる）と、所要時間、例えば１秒遅れてディスポーザー２を作動させるように構成されており（図２７参照）、また、ディスポーザー２が作動しているときに、操作ボタン１６を操作して、第１のリードスイッチ１９のＯＮ状態とＯＦＦ状態とを切り替えても、第二の実施の形態とは異なり、ディスポーザー２の作動が維持されるように構成されている（図２８参照）。さらに、第１のスイッチ装置２１における制御部７は、第二の実施の形態と同様に、ディスポーザー２が作動しているときに、給水ハンドル１１の磁石１１ｄが、他のリードスイッチ２３から離れることで、他のリードスイッチ２３がＯＮ状態からＯＦＦ状態に切り替わると、ディスポーザー２を停止させるように構成されている（図２７、２８参照）。
【００５６】
こうして、給水ハンドル１１が、必要流量の水の供給側にあり（図２４参照）、ディスポーザー２が停止しているときに、操作ボタン１６を押し込み側まで押し込み操作し（図２５参照）、次いで操作ボタン１６から指を離すことで操作ボタン１６を飛び出し側にすると（図２４参照）、操作ボタン１６の磁石１６ｂが、第１のリードスイッチ１９に近接し（第１のリードスイッチ１９がＯＮ状態となる）、次いで離れて（第１のリードスイッチ１９がＯＦＦ状態となる）、ディスポーザー２は作動する（図２７、２８参照）。また、操作ボタン１６を押し込み側まで押し込み操作したまま、給水ハンドル１１を、止水側から必要流量の水の供給側まで回動操作し（図２５参照）、そこで、操作ボタン１６から指を離すことで操作ボタン１６を飛び出し側にすると（図２４参照）、上記と同様にして、第１のリードスイッチはＯＮ状態からＯＦＦ状態に切り替わり、ディスポーザー２は作動する。また、第二の実施の形態と同様に、第三の実施の形態においても、給水ハンドル１１が、必要流量の水の供給側にあるときには、給水ハンドル１１の磁石１１ｄが、他のリードスイッチ２３に近接し、他のリードスイッチ２３がＯＮ状態となっているが、ここで、ディスポーザー２３が作動しているときに、給水ハンドル１１を止水側に回し始めると（図２６参照）、磁石１１ｄが、他のリードスイッチ２３から離れて、他のリードスイッチ２３はＯＦＦ状態となり、第１のスイッチ装置２１は、自動的にディスポーザー２の停止側に切り替わる（図２７、２８参照）。
【００５７】
なお、給水ハンドル１１を止水側（図２３参照）から必要流量の水の供給側（図２４参照）に操作する途中では、操作ボタン１６を押し込み操作することはできるものの、第１のリードスイッチ１９は、ＯＮ状態となることはなく、したがって、ＯＮ状態からＯＦＦ状態に切り替わることもない。よって、制御部７を含む第１のスイッチ装置２１は、給水ハンドル１１を止水側から必要流量の水の供給側に操作する途中では、ディスポーザー２の作動側への切替が不能であって、給水ハンドル１１が必要流量の水の供給側にあるときに、ディスポーザー２の作動側への切替が可能となっている。
【００５８】
以上のように、第三の実施の形態に係る、水栓装置およびディスポーザー装置は構成されており、第二の実施の形態とほぼ同様の作用効果を得ることができる。
【００５９】
なお、本発明は、上述した実施の形態に限定されるわけではなく、その他種々の変更が可能である。例えば、ディスポーザー２への水の供給にあたって、吐水管９からシンク１ａの排水口１ｂを介して供給しなくとも、供給するための管を直接ディスポーザー２に接続してもよい。また、ディスポーザー２へ供給する水は、冷水、温水等、いずれの水であってもよい。
【００６０】
また、この水栓装置３における水栓６は、流し台１の天板１ｃに取り付けられているが、その他に、流し台１の背面側に位置する壁等に取り付けられるなど、他の箇所に取り付けられるものであってもよい。
【００６１】
また、この水栓６に、浄水器やアルカリイオン整水器の機能を付加してもよい。この場合、浄水器やアルカリイオン整水器の操作ハンドルを、給水ハンドル１１と兼用してもよく、また別に設けてもよい。そして、さらにアルカリイオン整水器の場合には、その整水器の電気部分を、ディスポーザー装置４の制御部７に設けてもよい。
【００６２】
また、水栓６は、シングルレバー式の混合水栓でなくとも、サーモスタット式の混合水栓や、２バルブ式の混合水栓、あるいは、単水栓等であってもよい。
【００６３】
また、水栓装置３には、その水栓６に、吐水操作部としてのレバー１０が設けられているが、このレバー１０および混合弁１２等を無くすことで、水栓装置３を、ディスポーザー２専用の水栓装置にしてもよい。
【００６４】
また、第１または第２のスイッチ装置２１、２２のスイッチ部分に、リードスイッチ１９、２０、２３と磁石１６ｂ、１１ｄとを使用しているが、これらスイッチ要素に限定されるものでなく、例えば、水銀スイッチ、マイクロスイッチ、あるいは、光センサー、磁力センサー（フォールセンサー）等のセンサーなど、その他のスイッチ要素を使用してもよい。
【００６５】
また、第１のスイッチ装置２１の操作ボタン１６をディスポーザー２の作動側へ切替操作すると、そのディスポーザー２は、所要時間遅れることなく、直ちに作動するように構成されてもよい。
【００６６】
また、バルブ１５は、機械的なバルブであり、そのバルブ１５に連結される給水ハンドル１１の回動操作により直接開閉されるが、機械的なバルブ１５の代わりに電気で作動するバルブとして電磁弁等を使用し、給水ハンドル１１を、前記電磁弁等を作動させるためのスイッチ操作部としてもよい。この場合、前記電磁弁等は、必ずしも水栓本体６ａ内にある必要はなく、例えば、キャビネット１ｄ内に配備されてもよく、また、回動操作される給水ハンドル１１の代わりに押しボタン等を使用してもよい。
【００６７】
また、バルブ１５は、定流量弁でなくとも、通常の弁であってもよい。
【００６８】
また、制御部７は、天板１ｃの下方のキャビネット１ｄ内に単独で配備されているが、その他に、ディスポーザー２または水栓６と一体に設けられてもよく、また、二つの部分に分割されて、それぞれがディスポーザー２と水栓６とに一体に設けられてもよい。さらには、制御部７は、キャビネット１ｄ外に単独で配備されてもよく、また、他の機器と一体に設けられてもよく、その形態は任意に定めることができる。
【００６９】
また、スイッチ操作部は、操作ボタン１６でなくとも、例えば、給水ハンドル１１に対して倒したり起こしたりすることができるレバー等であってもよい。また、給水操作部は、給水ハンドル１１でなくとも、例えば、遥動操作されるレバーや、押し引きされるノブ等であってもよい。
【００７０】
また、第一の実施の形態において、給水ハンドル１１をバルブ１５の全開側まで回動操作したときに、第１のリードスイッチ１９がＯＮ状態となるように、その第１のリードスイッチ１９が配置されているが、給水ハンドル１１が必要流量の水の供給側にあって、操作ボタン１６を押し込み側まで押し込み操作した時点で、第１のリードスイッチ１９がＯＮ状態となり、さらに、そこから給水ハンドル１１がバルブ１５の全開側に至るまで、第１のリードスイッチ２１のＯＮ状態が維持されるように、第１のリードスイッチ１９の位置や磁石１６ｂのサイズ等を調整してもよい。さらには、給水ハンドル１１が必要流量の水の供給側にあって、操作ボタン１６を押し込み側まで押し込み操作した時点で、第１のリードスイッチ１９がＯＮ状態となるとともに、その位置で操作ボタン１６が保持されるような構造であれば、給水ハンドル１１のそれ以上の回動操作は必要ない。
【００７１】
また、第二の実施の形態において、給水ハンドル１１が、必要流量の水の供給側にあるときに、操作ボタン１６が押し込み側から飛び出し側に移るときに、ディスポーザー２の作動と停止とが切り替わるが、反対に、操作ボタン１６が飛び出し側から押し込み側に移るときに、ディスポーザー２の作動と停止とが切り替わるように、制御部７を設定してもよい。
【００７２】
また、ディスポーザー２の誤操作を防ぐことのみを目的とするのであれば、以下のように変更してもよい。例えば、スイッチ装置２１、２２における操作ボタン１６は、給水ハンドル１１に取り付けられていなくとも、水栓本体６ａ、その他水栓６近辺の壁等いずれの場所に取り付けられるものであってもよい。また、バルブ１５に、機械的なバルブの代わりに電気的なバルブとして電磁弁等を使用する場合には、その電磁弁等を作動させるためのスイッチ操作部、およびディスポーザー２を作動させるためのスイッチ操作部を、タッチパネルタイプにしてもよい。また、スイッチ操作部として、操作ボタン１６の代わりに回動操作されるハンドルを使用し、このハンドルを、給水ハンドル１１と同軸上に並べてもよい。また、スイッチ操作部としての操作ボタン１６の機能を、給水ハンドル１１で兼用させ、この給水ハンドル１１を、必要流量の水の供給側まで回動操作した後、さらに回動操作したり、あるいは軸方向に押し引き等することで、ディスポーザー２を作動させたり停止させたりしてもよい。また、スイッチ操作部としての操作ボタン１６の機能を、吐水管９に持たせ、例えば、吐水管９を側方に回動操作することで、ディスポーザー２を作動させるようにしてもよい。
【００７３】
また、ディスポーザー２へ水を供給するための操作と、ディスポーザー２を作動させるための操作との一連の操作を容易かつスムーズに行うことのみを目的とするのであれば、以下のように変更してもよい。ディスポーザー２の作動を、給水ハンドル１１の必要流量の水の供給側までの回動操作とは関連づけることなく、例えば、必要流量の水の供給前に、スイッチ操作部としての操作ボタン１６を操作することにより、ディスポーザー２の作動が可能となるように第１のスイッチ装置２１を構成してもよい。また、操作ボタン１６は、給水ハンドル１１の筒部１１ａの外周部のみならず、その頂部１１ｂなど、給水ハンドル１１のいずれの箇所に取り付けられてもよい。
【００７４】
【発明の効果】
以上、詳述したところから明らかなように、この発明に係る水栓装置およびディスポーザー装置によれば、次の効果がある。
【００７５】
請求項１に記載された水栓装置によれば、ディスポーザーに供給される流量が必要流量に達していないときには、第１のスイッチ装置は、ディスポーザーの作動側への切替が不能となっており、ディスポーザーの誤操作を防ぐことができる。そして、ディスポーザーに水を供給するために、給水操作部を、止水側から必要流量の水の供給側に操作し、第１のスイッチ装置のスイッチ操作部を、ディスポーザーの作動側へ切替操作することで、ディスポーザーを作動させることができる。ここで、ディスポーザーへの水の供給は、吐水管からシンクに向かって吐水される水によって行なわれる。
【００７６】
請求項２に記載された水栓装置によれば、ディスポーザーに供給される流量が必要流量に達していないときには、第１のスイッチ装置のスイッチ操作部は、ディスポーザーの作動側への切替操作が阻止されており、ディスポーザーの誤操作を防ぐことができる。そして、ディスポーザーに水を供給するために、給水操作部を、止水側から必要流量の水の供給側に操作し、第１のスイッチ装置のスイッチ操作部を、ディスポーザーの作動側へ切替操作することで、ディスポーザーを作動させることができる。ここで、ディスポーザーへの水の供給は、吐水管からシンクに向かって吐水される水によって行なわれる。
請求項３に記載された水栓装置によれば、ディスポーザーに供給される流量が必要流量に達していないときには、第１のスイッチ装置は、ディスポーザーの作動側への切替が不能となっており、ディスポーザーの誤操作を防ぐことができる。しかも、給水操作部となる給水ハンドルを回すことで、ディスポーザーに水を供給し、その給水ハンドルに取り付けられた操作ボタンを操作してディスポーザーを作動させることができるので、この一連の操作を、容易かつスムーズに行なうことができる。
請求項４および１０に記載された水栓装置によれば、ディスポーザーに供給される流量が必要流量に達していないときには、第１のスイッチ装置のスイッチ操作部は、ディスポーザーの作動側への切替操作が阻止されており、ディスポーザーの誤操作を防ぐことができる。しかも、給水操作部となる給水ハンドルを回すことで、ディスポーザーに水を供給し、その給水ハンドルに取り付けられた操作ボタンを操作してディスポーザーを作動させることができるので、この一連の操作を、容易かつスムーズに行なうことができる。
請求項５に記載された水栓装置によれば、請求項３または４の効果に加えて、ディスポーザーへの水の供給は、吐水管からシンクに向かって吐水される水によって行なわれる。
請求項６に記載された水栓装置によれば、請求項１、２または５の効果に加えて、給水操作部とは別の吐水操作部を操作することで、シンクにおいて、吐水管からの水あるいは湯あるいは湯水混合水を使用することができる。
【００７７】
また、請求項７および８に記載された水栓装置によれば、請求項１ないし６のいずれかの効果に加えて、ディスポーザーによる生ゴミの粉砕が終了して、給水操作部を水の供給側から止水側に操作すると、第１のスイッチ装置が、自動的にディスポーザーの作動側から停止側に切り替わるので、ディスポーザーの停止側への切替操作をする必要がなく、ディスポーザーが不必要に作動したままになるのを防ぐことができる。
【００７８】
また、請求項９に記載された水栓装置によれば、請求項３ないし５のいずれかの効果に加えて、操作ボタンを操作することで、ディスポーザーへの水の供給を継続したまま、ディスポーザーを停止させることができる。
【００７９】
また、請求項１１に記載された水栓装置によれば、請求項３ないし５のいずれかの効果に加えて、第２のスイッチ装置によって、給水操作部が止水側にあるときにも、ディスポーザーを作動させることができ、ディスポーザーに供給する水に、ボール等に溜まった水を利用することで、その水を有効利用することができる。
【００８０】
また、請求項１２に記載された水栓装置によれば、請求項１１の効果に加えて、第１のスイッチ装置のスイッチ操作部を構成する操作ボタンが、第２のスイッチ装置のスイッチ操作部を兼ねており、この水栓装置の使い勝手を向上させることができる。
【００８１】
また、請求項１３に記載された水栓装置によれば、請求項１ないし１０のいずれかの効果に加えて、ディスポーザーの作動が、第１のスイッチ装置のスイッチ操作部をディスポーザーの作動側へ切替操作した後、所要時間遅れるので、ディスポーザーが作動するまでに、ディスポーザー内に水を十分に行き渡らせることができる。
【００８２】
【００８３】
【００８４】
【００８５】
また、請求項１４に記載されたディスポーザー装置によれば、対応する請求項１ないし１３に記載の水栓装置を備えたディスポーザー装置の提供が可能である。
【図面の簡単な説明】
【図１】この発明に係る水栓装置およびディスポーザー装置の第一の実施の形態の、正面図である。
【図２】同じく、水栓装置の側面図である。
【図３】同じく、水栓の要部拡大断面図である。
【図４】同じく、給水ハンドルが止水側にあって、操作ボタンが飛び出し側にある、給水ハンドル部分の拡大断面図である。
【図５】同じく、給水ハンドルが止水側にあって、操作ボタンが押し込み側にある、給水ハンドル部分の拡大断面図である。
【図６】同じく、給水ハンドルが必要流量の水の供給側にあって、操作ボタンが飛び出し側にある、給水ハンドル部分の拡大断面図である。
【図７】同じく、給水ハンドルが必要流量の水の供給側にあって、操作ボタンが押し込み側にある、給水ハンドル部分の拡大断面図である。
【図８】同じく、給水ハンドルがバルブの全開側にある、給水ハンドル部分の拡大断面図である。
【図９】同じく、給水ハンドルを止水側に戻す途中の、給水ハンドル部分の拡大断面図である。
【図１０】同じく、第１のスイッチ装置による、ディスポーザーの作動を示す、模式図である。
【図１１】同じく、第２のスイッチ装置による、ディスポーザーの作動と停止を示す、模式図である。
【図１２】同じく、第１のスイッチ装置による、ディスポーザーの作動を示す、タイミングチャートである。
【図１３】同じく、第２のスイッチ装置による、ディスポーザーの作動を示す、タイミングチャートである。
【図１４】同じく、第１および第２のスイッチ装置による、ディスポーザー作動を示す、タイミングチャートである。
【図１５】この発明に係る水栓装置およびディスポーザー装置の第二の実施の形態の、給水ハンドルが止水側にあって、操作ボタンが飛び出し側にある、給水ハンドル部分の拡大断面図である。
【図１６】同じく、給水ハンドルが必要流量の水の供給側にあって、操作ボタンが飛び出し側にある、給水ハンドル部分の拡大断面図である。
【図１７】同じく、給水ハンドルが必要流量の水の供給側にあって、操作ボタンが押し込み側にある、給水ハンドル部分の拡大断面図である。
【図１８】同じく、給水ハンドルを止水側に戻す途中の、給水ハンドル部分の拡大断面図である。
【図１９】同じく、第１のスイッチ装置による、ディスポーザーの作動を示す、一番目のタイミングチャートである。
【図２０】同じく、第１のスイッチ装置による、ディスポーザーの作動を示す、二番目のタイミングチャートである。
【図２１】同じく、第１および第２のスイッチ装置による、ディスポーザー作動を示す、一番目のタイミングチャートである。
【図２２】同じく、第１および第２のスイッチ装置による、ディスポーザー作動を示す、二番目のタイミングチャートである。
【図２３】この発明に係る水栓装置およびディスポーザー装置の第三の実施の形態の、給水ハンドルが止水側にあって、操作ボタンが飛び出し側にある、給水ハンドル部分の拡大断面図である。
【図２４】同じく、給水ハンドルが必要流量の水の供給側にあって、操作ボタンが飛び出し側にある、給水ハンドル部分の拡大断面図である。
【図２５】同じく、給水ハンドルが必要流量の水の供給側にあって、操作ボタンが押し込み側にある、給水ハンドル部分の拡大断面図である。
【図２６】同じく、給水ハンドルを止水側に戻す途中の、給水ハンドル部分の拡大断面図である。
【図２７】同じく、第１のスイッチ装置による、ディスポーザーの作動を示す、一番目のタイミングチャートである。
【図２８】同じく、第１のスイッチ装置による、ディスポーザーの作動を示す、二番目のタイミングチャートである。
【符号の説明】
１  流し台                              １ａ  シンク
１ｂ  排水口                            ２  ディスポーザー
３  水栓装置                            ４  ディスポーザー装置
９  吐水管                              １０  レバー（吐水操作部）
１１  給水ハンドル（給水操作部）        １１ｄ  磁石
１６  操作ボタン（スイッチ操作部）      ２１  第１のスイッチ装置
２２  第２のスイッチ装置
２３  他のリードスイッチ（リードスイッチ）
【図１】
0003615686.tif 000002
【図２】
0003615686.tif 000003
【図３】
0003615686.tif 000004
【図４】
0003615686.tif 000005
【図５】
0003615686.tif 000006
【図６】
0003615686.tif 000007
【図７】
0003615686.tif 000008
【図８】
0003615686.tif 000009
【図９】
0003615686.tif 000010
【図１０】
0003615686.tif 000011
【図１１】
0003615686.tif 000012
【図１２】
0003615686.tif 000013
【図１３】
0003615686.tif 000014
【図１４】
0003615686.tif 000015
【図１５】
0003615686.tif 000016
【図１６】
0003615686.tif 000017
【図１７】
0003615686.tif 000018
【図１８】
0003615686.tif 000019
【図１９】
0003615686.tif 000020
【図２０】
0003615686.tif 000021
【図２１】
0003615686.tif 000022
【図２２】
0003615686.tif 000023
【図２３】
0003615686.tif 000024
【図２４】
0003615686.tif 000025
【図２５】
0003615686.tif 000026
【図２６】
0003615686.tif 000027
【図２７】
0003615686.tif 000028
【図２８】
0003615686.tif 000029